(57)【特許請求の範囲】
【請求項１】
本体外郭の上面を形成する天板と、この本体を送風機室及び熱交換室に仕切り、複数の送風口が設けられた内壁板と、前記送風機室に配設されたファンを収納したケーシングとを有し、前記本体の長手方向に前記ケーシングを配列した空気調和機の室内機において、前記ケーシング吹出口の上面に連なり、前記天板の長手方向に前記熱交換室側に張り出して形成された天板補強手段と、前記ケーシング吹出口の下面に連なり、前記内壁板の長手方向に前記熱交換室側に張り出して形成された内壁板補強手段と、前記ケーシング吹出口の側面に連なる前記内壁板の送風口開口時に残され、曲げ加工されたフランジ部とを備え、前記天板補強手段と、前記内壁板補強手段と、前記フランジ部とで前記熱交換室側の吹出口先端部を形成し、該吹出口先端部は前記送風機室側のケーシングになだらかに取り付けられることを特徴とする空気調和機の室内機。
【請求項２】
天板補強手段を内壁板の取り付け台として利用し、取り付け手段を前記天板補強手段の天板側凹部に収納したことを特徴とする請求項１記載の空気調和機の室内機。
【請求項３】
熱交換室の下部にドレンパンを有し、内壁板補強手段が前記ドレンパンの上方向位置決め手段を兼ねることを特徴とする請求項１記載の空気調和機の室内機。
【発明の詳細な説明】
【０００１】
【発明の属する技術分野】
この発明は天吊形空気調和機に係り、特に室内ユニットの強度の改善、ケーシングから吹出される気流の乱れの低減及び部品点数の削減に関するものである。
【０００２】
【従来の技術】
図６は従来の空気調和機を示す断面図であり、図において、１は空気調和機の外郭の一部を構成する天板、２は熱交換器室、３は送風機室であり、内壁板４により仕切られている。内壁板４には複数の送風口５が設けられ、ケーシング６、ファン７が配置されている。８は吹出口、９は空気調和機を制御する電気品箱、１０はケーシング補助部材である。図７は従来の空気調和機の内部部分斜視図であり、図において、１７は送風口５開口時に残され、曲げ加工されたケーシング上・下面フランジ、１９はケーシング固定ネジである。
【０００３】
次に動作について説明する。空気調和機の外郭の一部を構成する天板１には熱交換器室２と送風機室３とを仕切る内壁板４が一体又は別部品として形成されている。内壁板４には複数の送風口５が設けられており、それぞれケーシング６及びファン７が配置されている。このケーシング６及びファン７により吸込まれた空気は送風口５より熱交換器室２に送られ熱交換されて吹出口８より吹き出される。近年の空気調和機は送風機音を低減させるためケーシング６及びファン７の拡大が計られ、電気品箱９等の組込みを含め送風機室３のスペースが不足し、ケーシング６の吹出口部を熱交換器室２に突出させた配置となっている。ケーシング６の送風機室３へ組込み上、ケーシング６の吹出口先端は、上、下面が内壁板４の送風口５を開口する際に残したフランジ１７を曲げることで成形し、両側面は、ケーシング補助部材１０により補われ、それらを内壁板４の各送風口５に設けることで、ケーシング６の欠けを防止し送風機音の悪化を防止する。しかしケーシング６の吹出口先端と天板１との段差等により気流は乱れ送風機音の低減がなかなか計れないのが現状である。
【０００４】
【発明が解決しようとする課題】
従来の空気調和機は以上のように構成されているので、内壁板４に設けられた複数の送風口５にはケーシング補助部材１０を必要とし、部品点数が多くなりコストアップとなるほか、吹出口先端と天板１との段差による気流の乱れによる送風音の悪化が問題であった。また、内壁板４に複数の送風口５を設けることによる内壁板４及び空気調和機全体の強度を低下させ送風機の振動伝搬の原因となる等の問題点があった。
【０００５】
この発明は上記のような問題点を解消するためになされたもので、ケーシングから吹出される気流の乱れを低減するとともに空気調和機の強度を高めること、さらに部品点数の少ない安価な空気調和機の室内機を得ることを目的とする。
【０００６】
【課題を解決するための手段】
請求項１の空気調和機の室内機は、本体外郭の上面を形成する天板と、この本体を送風機室及び熱交換室に仕切り、複数の送風口が設けられた内壁板と、送風機室に配設されたファンを収納したケーシングとを有し、前記本体の長手方向にケーシングを配列した空気調和機の室内機において、ケーシング吹出口の上面に連なり、天板の長手方向に熱交換室側に張り出して形成された天板補強手段と、ケーシング吹出口の下面に連なり、内壁板の長手方向に熱交換室側に張り出して形成された内壁板補強手段と、ケーシング吹出口の側面に連なる内壁板の送風口開口時に残され、曲げ加工されたフランジ部とを備え、天板補強手段と、内壁板補強手段と、フランジ部とで熱交換室側の吹出口先端部を形成し、吹出口先端部は送風機室側のケーシングになだらかに取り付けられることを特徴とする。
【０００７】
請求項２の空気調和機の室内機は、請求項１記載のものにおいて、天板補強手段を内壁板の取り付け台として利用し、取り付け手段を天板補強手段の天板側凹部に収納したものである。
【０００８】
請求項３の空気調和機の室内機は、請求項１記載のものにおいて、熱交換室の下部にドレンパンを有し、内壁板補強手段が前記ドレンパンの上方向位置決め手段を兼ねることを特徴とする。
【０００９】
【発明の実施の形態】
実施の形態１．
以下、この発明の実施の形態１を図について説明する。図１はこの発明の実施の形態１による空気調和機の断面図、図２はその内部部分斜視図、図３はその長手方向全体を示す斜視図である。図において、１は天板、２は熱交換器室、３は送風機室、４は内壁板、５は送風口、６はケーシング、７はファンである。８は吹出口、９は電気品箱であり、１１は天板１に形成された天板補強手段である天板補強リブ、１２は内壁板４に形成された内壁板補強手段である内壁板補強リブである。１５は空気調和機の外郭に形成される天板補強リブ１１の凹部、１６は内壁板４を天板補強リブ１１に固定する取り付け手段であるネジ、１８は送風口５開口時に残され、曲げ加工されたケーシング両側面フランジ、１９はケーシング固定ネジ、２０はドレンパンである。
【００１０】
次に動作について説明する。空気調和機の外郭の一部を構成する天板１には、ケーシング６の吹出口形状の上面一部を形成する天板補強リブ１１が絞り又は曲げ加工にて内側に張り出して図３に示すように、空気調和機の長手方向ほぼ全域に形成されている。また天板補強リブ１１上には内壁板４が固定されており、内壁板４にて熱交換器室２と送風機室３が仕切られている。内壁板４には複数の送風口５が設けられており送風口５を開口する際に残したフランジ１８を曲げ加工することでケーシング６の吹出口両側面が成形されている。また内壁板４には、ケーシング６の吹出口下面形状の一部を形成する熱交換室２側に張り出した内壁補強リブ１２が空気調和機長手方向ほぼ全域に絞り又は曲げ加工により形成され、それぞれの送風口５にケーシング６が送風機室３側よりケーシング固定ネジ１９により内壁板４に固定されファン７が配置される。
【００１１】
このケーシング６及びファン７により吸込まれた空気は送風口５より熱交換器室２に送られ、熱交換されて吹出口８より吹き出される。送風機音の低減のためケーシング６及びファン７の拡大が計られ、電気品箱９等の組込みにより、送風機室３のスペースが不足し、ケーシング６の吹出口先端を熱交換器室２内に突出させる部品配置としても、天板１の天板補強リブ１１及び内壁板４の内壁板補強リブ１２により吹出口先端部が形成されているので補助部材が不要となり、また天板１と天板補強リブ１１との段差は絞り及び曲げ加工にてなだらかに形成することで解消されている。
【００１２】
また、ケーシング６の吹出口形状の一部を天板１に形成する事により空気調和機外郭にできる天板補強リブ１１の凹部１５の空間を利用し空気調和機を構成する他部材、例えば内壁板４等の取り付け台とする事で、ネジ１６で固定した場合、ネジ１６先端の外郭への突出を防止できる。
【００１３】
内壁板４に内壁板補強リブ１１を設け図１のように配置することで、熱交換器室２に発生する露を回収するドレンパン２０の上方向位置決め部品を兼ねることも可能である。
【００１４】
この実施の形態によれば、ケーシング吹出口形状の上辺と下辺を天板１及び内壁板４に絞り又は曲げ加工によりユニット長手方向ほぼ全域に形成したので、空気調和機の強度は高められ、また、ケーシング補助部材も不要となる。ケーシング吹出口と天板との段差も少なくなるため気流の乱れは低減し低騒音で丈夫な部品点数の少ない安価な空気調和機を得られる効果がある。
【００１５】
また、天板補強リブ１１の底面を内壁板４の取り付け台とすることで、ユニット外郭へのネジ等の突出は防止され、安全でデザイン性に勝れた空気調和機が得られる。
【００１６】
また、内壁板補強リブ１２をドレンパン２０の上方向位置決めに利用できるので部品点数が減り安価な空気調和機が得られる。
【００１７】
実施の形態２．
なお前記実施の形態では、天板１に天板補強リブ１１、内壁板４に内壁板補強リブ１２を形成したものを示したが、図４，図５に示すように天板１に別部品としてケーシング６の吹出口形状の一部を形成した天板補強手段である天板補強部材１３を天板１の長手方向ほぼ全域にわたり設けてもよい。また内壁板４についても同様にケーシング６の吹出口形状の一部を形成する内壁板補強手段である内壁補強部材１４を内壁板４の長手方向ほぼ全域にわたり設けても実施の形態１と同様の効果を奏する。
【００１８】
【発明の効果】
請求項１の空気調和機の室内機は、本体外郭の上面を形成する天板と、この本体を送風機室及び熱交換室に仕切り、複数の送風口が設けられた内壁板と、送風機室に配設されたファンを収納したケーシングとを有し、前記本体の長手方向にケーシングを配列した空気調和機の室内機において、ケーシング吹出口の上面に連なり、天板の長手方向に熱交換室側に張り出して形成された天板補強手段と、ケーシング吹出口の下面に連なり、内壁板の長手方向に熱交換室側に張り出して形成された内壁板補強手段と、ケーシング吹出口の側面に連なる内壁板の送風口開口時に残され、曲げ加工されたフランジ部とを備え、天板補強手段と、内壁板補強手段と、フランジ部とで熱交換室側の吹出口先端部を形成し、吹出口先端部は送風機室側のケーシングになだらかに取り付けられる構成にしたので、本体の強度が高められ、ケーシング補助部材も不要となると共に、ケーシング吹出口と天板との段差も少なくなるため気流の乱れは低減し、低騒音で丈夫な部品点数の少ない安価な空気調和機の室内機が得られる。
【００１９】
請求項２の空気調和機の室内機は、請求項１記載のものにおいて、天板補強手段を内壁板の取り付け台として利用し、取り付け手段を天板補強手段の天板側凹部に収納したので、安全で意匠性に優れた空気調和機の室内機が得られる。
【００２０】
請求項３の空気調和機の室内機は、請求項１記載のものにおいて、熱交換室の下部にドレンパンを有し、内壁板補強手段が前記ドレンパンの上方向位置決め手段を兼ねる構成にしたので、部品点数の少ない安価な空気調和機の室内機が得られる。
【図面の簡単な説明】
【図１】  この発明の実施の形態１による空気調和機の室内機の断面図である。
【図２】  この発明の実施の形態１による空気調和機の室内機の内部部分斜視図である。
【図３】  この発明の実施の形態１による空気調和機の室内機の全体斜視図である。
【図４】  この発明の実施の形態２による空気調和機の室内機の断面図である。
【図５】  この発明の実施の形態２による空気調和機の室内機の内部部分斜視図である。
【図６】  従来の空気調和機の室内機の断面図である。
【図７】  従来の空気調和機の室内機の内部部分斜視図である。
【符号の説明】
１  天板、２  熱交換器、３  送風機室、４  内壁板、６  ケーシング、７  ファン、８  プロペラファン、９  ファンモータ、１１  天板補強リブ、１２  内壁板補強リブ、１３  天板補強部材、１４  内壁板補強部材、１５  凹部、１６  ネジ、３１  制御装置。
【図１】
0003764194.tif 000002
【図２】
0003764194.tif 000003
【図３】
0003764194.tif 000004
【図４】
0003764194.tif 000005
【図５】
0003764194.tif 000006
【図６】
0003764194.tif 000007
【図７】
0003764194.tif 000008